(57)【要約】【課題】  電子写真方式の画像形成装置において、感光体への負荷を軽減させた防止爪を提供することを目的とする。【解決手段】  防止爪３０は、防止爪先端部である防止爪先端３０ａ、記録媒体受入部３０ｂ、感光体ドラム１１との当接部である防止爪位置出し部３０ｃ、防止爪回転軸３０ｄからなる。本発明の防止爪３０は、記録媒体２が侵入した際に記録媒体２を感光体ドラム１１から用紙受入部３０ｂへ案内する防止爪先端３０ａと、感光体ドラム１１と当接し防止爪３０の位置出しをする防止爪位置出し部３０ｃが分かれている。また、防止爪先端３０ａは、防止爪回転軸３０ｄと防止爪位置出し部３０ｃの中間に設けられている。さらに、防止爪位置出し部３０ｃは曲線状となっており、感光体ドラム１１の回転方向下流側に向かって、感光体ドラム１１と当接している。【選択図】  図４
2009265370.tif 000002
【特許請求の範囲】
【請求項１】
像担持体の回転方向におけるクリーニング装置の上流側で前記クリーニング部への記録媒体の侵入を防止する防止爪において、
前記防止爪は前記防止爪を回動可能に保持する軸を有し、前記記録媒体が侵入した際に前記像担持体から離間する方向に回動可能となっていることを特徴とする防止爪。
【請求項２】
前記防止爪は前記記録媒体をガイドするガイド部を有し、前記ガイド部は前記像担持体より離間して設けられていることを特徴とする請求項１記載の防止爪。
【請求項３】
前記防止爪は前記像担持体と当接する当接部を有し、前記当接部は前記像担持体回転方向において下流側に向かって当接していることを特徴とする請求項１または請求項２記載の防止爪。
【請求項４】
前記当接部は曲線形状となっており、曲線部が前記像担持体と当接することを特徴とする請求項３記載の防止爪。
【請求項５】
前記ガイド部は前記像担持体から前記記録媒体を剥離させる先端部と、前記先端部によりガイドされた前記記録媒体を受ける受入部を有することを特徴とする請求項２乃至請求項４のいずれか１項記載の防止爪。
【請求項６】
請求項１乃至請求項５のいずれか１項記載の防止爪を有することを特徴とするプロセスカートリッジ。
【請求項７】
請求項１乃至請求項５のいずれか１項記載の防止爪を有することを特徴とする画像形成装置。
【発明の詳細な説明】
【技術分野】
【０００１】
本発明は、画像形成装置において記録媒体がクリーニング装置へ進入することを防ぐ防止爪に係り、特にその形状に特徴を持たせた防止爪に関する。
【背景技術】
【０００２】
電子写真方式の画像形成装置において、感光体表面上に形成されたトナー像を記録媒体に転写させる転写部を通過した記録媒体が、感光体に引き付けられたまま感光体から剥離されず、ジャムを起こすという問題があった。このような問題を解決するために、除電針や剥離コロナ放電などの記録媒体分離手段によって、転写後に記録媒体が感光体に付着することを防いでいた。
【０００３】
しかし、このように記録媒体分離手段を設けたにもかかわらず、記録媒体が必ずしも感光体から剥離されずに搬送不良を起こす場合があった。感光体から剥離されなかった記録媒体は、転写装置後段に設けられたクリーニング部（クリーニング装置）へ搬送され、内部に進入してしまう。クリーニング装置内には転写されずに回収された排トナーが回収されているため、クリーニング装置内に記録媒体が進入すると、クリーニング装置で回収された排トナーが記録媒体に付着し、この記録媒体を除去する際に画像形成装置本体内を汚染させてしまうという問題があった。さらに、クリーニング装置内の部材、例えばクリーニングブレードを破損してしまう恐れもあった。
【０００４】
そこで、剥離不良を起こした記録媒体をクリーニング装置に進入するのを防ぐために、クリーニング装置の上流側に防止爪が設けられている（例えば特許文献１）。
【特許文献１】特開平１０−１８６８６８号公報
【発明の開示】
【発明が解決しようとする課題】
【０００５】
従来の画像形成装置における防止爪は、防止爪の先端部が感光体の回転方向に対して対向する方向に感光体に当接または近接して配置されていた。このため長期の使用において感光体表面を傷つけ、画像形成に不具合を生じさせていた。
【０００６】
本発明は、上記問題点を解決するためになされたものであり、感光体への負荷を軽減することができる防止爪を提供することを目的とする。
【課題を解決するための手段】
【０００７】
上記目的を達成するために、本発明による防止爪は、像担持体の回転方向におけるクリーニング装置の上流側で前記クリーニング部への記録媒体の侵入を防止する防止爪において、前記防止爪は前記防止爪を回動可能に保持する軸を有し、前記記録媒体が侵入した際に前記像担持体から離間する方向に回動可能となっていることを特徴としている。
【発明の効果】
【０００８】
本発明によれば、感光体への負荷を軽減させた防止爪を提供することができる。
【発明を実施するための最良の形態】
【０００９】
〔実施例〕
図１は、本発明の一実施の形態である画像形成装置本体を示す内部構成図である。
図中１は画像形成装置本体で、画像形成装置本体１の下方には記録媒体２を格納した複数段の給紙カセット３、４が設けられている。
【００１０】
記録媒体２は、搬送系５を介して上方へ搬送される。搬送系５には、記録媒体２をプロセスカートリッジ１Ａまで搬送する搬送ローラ６、レジストローラ７、定着装置８、画像記録を終えた記録媒体２を排紙トレイ９に排出する排紙ローラ１０が配設されている。
【００１１】
画像形成装置本体１内の中央部には、プロセスカートリッジ１Ａが画像形成装置本体１に対し着脱自在に設けられている。プロセスカートリッジ１Ａは、回転自在に取り付けられた感光体ドラム１１を備えており、この感光体ドラム１１の周囲部には矢印方向（反時計回り）に沿って、コロナ放電式の帯電装置１２、露光装置１３、現像装置１４、転写装置１５及びクリーニング装置１６が配設されている。
現像装置１４の上方にはトナーボトル１７が画像形成装置本体１に着脱自在に設けられている。
【００１２】
画像形成装置本体１の上域には原稿載置台１８が設けられており、原稿載置台１８の下方部には原稿載置台１８上の原稿を読取るスキャナー１９が設けられている。
このスキャナー１９は原稿に光を照射する光源２０と、原稿から反射される光を所定方向に反射させる第１の反射ミラー２１と、第１の反射ミラー２１から反射される光を順次反射させる第２及び第３の反射ミラー２２、２３と、第３の反射ミラー２３からの反射光を受光素子２５の結像面に結像するための集光レンズ２４と、集光レンズ２４により結像された光を受光する受光素子２５とを備える。
【００１３】
画像形成時の各装置の作用を説明する。まず、原稿載置台１８に置かれた原稿を読取る場合、原稿に光源２０から光が照射される。この光は原稿から反射され、第１の反射ミラー２１、第２の反射ミラー２２、第３の反射ミラー２３を介して受光素子２５に受光されて原稿像が読み取られる。ここで第１の反射ミラー２１は図示しない駆動手段により図１の光源２０の下から原稿長手方向に移動し原稿を読取る。その際、原稿と受光素子２５の結像面の距離である光路長を変化させないために第２の反射ミラー２２、第３の反射ミラー２３も移動する。
【００１４】
この読み取り情報に基づき、露光装置１３よりレーザー光が感光体ドラム１１に照射される。感光体ドラム１１の表面は、帯電装置１２により一様に帯電され、露光装置１３から画像情報により強度変調されたレーザービームが照射されることにより、感光体ドラム１１に複写すべき画像の電荷を残した静電潜像が形成される。
【００１５】
感光体ドラム１１上に形成された静電潜像は、現像装置１４で静電潜像と逆極性に帯電したトナーが付着され可視像となる。そして静電潜像に付着されたトナーがプロセスカートリッジ１Ａの下方から搬送され、レジストローラ７で整位された記録媒体２に重ね、記録媒体２の裏側から転写装置１５によりトナーの帯電極性とは逆極性の電荷を記録媒体２に与え、静電力により記録媒体２に転写させる。
【００１６】
トナーが転写された記録媒体２は定着装置８に搬送され、定着装置８により熱もしくは圧力を加えられ、トナーが定着される。画像形成を終えた記録媒体２は排紙ローラ１０を介し、排紙トレイ９に排出される。
一方転写されずに感光体ドラム１１上に残った残留トナーはクリーニング装置１６で除去される。
【００１７】
次に、プロセスカートリッジ１Ａ中の帯電装置１２について詳細に説明する。
図２は、プロセスカートリッジ１Ａの断面図である。プロセスカートリッジ１Ａは感光体ドラム１１と、帯電装置１２、現像装置１４、クリーニング装置１６で構成される。また、プロセスカートリッジは画像形成装置本体１より取り外しが可能となっている。
【００１８】
次いで、クリーニング装置１６について説明する。
図３に示すように、クリーニング装置１６はクリーナオーガ２６、弾性を有するクリーニングブレード２７、リカバリーブレード２８と、これらを覆う筺体２９からなる。クリーニング装置１６は感光体ドラム１１上部に設けられている。
【００１９】
次に、防止爪３０について説明する。
図４に示すように防止爪３０は防止爪先端部である防止爪先端３０ａ、記録媒体受入部３０ｂ、感光体ドラム１１との当接部である防止爪位置出し部３０ｃ、防止爪回転軸３０ｄからなる。本実施例の防止爪３０は、記録媒体２が侵入した際に記録媒体２を感光体ドラム１１から用紙受入部３０ｂへ案内する防止爪先端３０ａと、感光体ドラム１１と当接し防止爪３０の位置出しをする防止爪位置出し部３０ｃが分かれている。
【００２０】
防止爪先端３０ａと防止爪位置出し部３０ｃの位置関係について、図５を用いて説明する。
防止爪回転軸３０ｄと感光体ドラム１１とを最短に結ぶ線を線Ａとする。また、防止爪位置出し部３０ｃと感光体ドラム１１の接点を点Ｂとする。
【００２１】
本実施例の防止爪３０の防止爪先端３０ａは、線Ａより感光体ドラム１１の回転方向下流側に位置し、かつ、防止爪先端３０ａは線Ａと点Ｂの間に設けられている。
【００２２】
次に、防止爪位置出し部３０ｃの構造について、図９を用いて説明する。
防止爪位置出し部３０ｃの感光体ドラム１１への当接部は曲線状となっており、感光体ドラム１１上の当接点Ｂの接線と平行な面で接する構造となっている。
【００２３】
図６に示すように、防止爪３０は、防止爪回転軸３０ｄを中心に回動するようになっている。よって、防止爪３０に記録媒体２が侵入した際、防止爪先端３０ａは防止爪回転軸３０ｄを中心に感光体ドラム１１から離間する方向に回動する。同様に、防止爪位置出し部３０ｃも、感光体ドラム１１より離間する方向に回動する。
ここで防止爪３０は回動する距離を制限するため、防止爪３０がある程度回動すると、防止爪３０はクリーニング装置１６に当接し、それ以上回動しないように規制される。
【００２４】
実際に防止爪３０に記録媒体２が侵入した際の防止爪３０の動作を、図７、図８を用いて説明する。
記録媒体２が搬送ガイド３１に搬送されず防止爪３０に侵入した場合、記録媒体２は、防止爪先端３０ａにより用紙受入部３０ｂに案内される。用紙受入部３０ｂに案内された記録媒体２は、防止爪３０を感光体ドラム１１から離間する方向に押し上げる。このことにより防止爪３０は防止爪回転軸３０ｄを中心に回動する。
【００２５】
本実施例の防止爪３０は、防止爪先端３０ａと防止爪位置出し部３０ｃが分かれていて回動可能に設けられているため、記録媒体２が防止爪３０に侵入してきた際、防止爪３０が感光体ドラム１１から離間する方向に回動する。記録媒体２が防止爪先端３０ａに当接しても、防止爪３０が感光体ドラム１１に傷をつけることはない。
【００２６】
また、防止爪３０は防止爪位置出し部３０ｃが曲線状となっており、この曲線部分により感光体ドラム１１と面で接しているため感光体ドラム１１への負荷が軽減される。そして感光体ドラム１１が逆回転をした場合においても感光体ドラム１１への負荷が軽減される。
【００２７】
他の実施例について、図７および図８を用いて説明する。
本実施例の防止爪３０は、記録媒体２の侵入した際に、防止爪回転軸３０ｄが回動する。防止爪３０が回動したことを検知するセンサを設ける。例えば図７に示すように、防止爪３０の上部で防止爪３０が回動した時に防止爪３０が当接する位置にスイッチ３２を設ける。図８に示すように、防止爪３０に記録媒体２が進入し、防止爪３０が回動すると防止爪３０の上部に設けたスイッチ３０に防止爪３０が当接する。スイッチ３２が防止爪３０の当接を検知すると、ジャムが発生したと判断する。
【００２８】
従来は、感光体ドラム１１と転写装置１５の当接する転写領域の前段と後段に通過センサが設けられており、転写領域前段の通過センサを記録媒体２が通過し、所定時間後に転写領域後段の通過センサが記録媒体２の通過を検知されない場合にジャムが発生したと認識する。
【００２９】
従来のような記録媒体２のジャムを検知する手段では、センサを２つ設ける必要がある。また、各装置の配置の関係上、転写領域後段の通過センサを転写領域を抜けて直ぐの場所に設けられない場合がある。この場合、ジャムが発生してから、ジャム発生を認識するまでに時間がかかってしまう。
しかし、本実施例のようにした場合、記録媒体２がジャムを起こした場合直ちにジャム発生を認識することができる。
【００３０】
上述した実施例の形態は一例であり、本発明を限定するものではなく、本発明の権利範囲を超えない範囲で様々に変形することができる。
例えば、防止爪３０の防止爪位置出し部３０ｃの形状を球状とし、感光体ドラム１１と点で接するようにしても、上記実施例で述べた防止爪３０と同等の効果を得ることができる。
【図面の簡単な説明】
【００３１】
【図１】本発明の一実施の形態である画像形成装置本体を示す内部構成図
【図２】プロセスカートリッジの断面図
【図３】クリーニング装置の下部に防止爪の設けた断面図
【図４】防止爪断面図
【図５】防止爪を構成する各部を説明する図
【図６】防止爪の動きを説明する図
【図７】防止爪の動作を説明する図
【図８】防止爪に記録媒体が進入してきたときの動作を説明する図
【図９】防止爪の防止爪位置出し部について説明する図
【図１０】防止爪上部にスイッチを設けた断面図
【図１１】防止爪に記録媒体が進入し防止爪がスイッチに当接する動作を説明する図
【符号の説明】
【００３２】
１  画像形成装置本体  
１−Ａ  プロセスカートリッジ  
２  記録媒体  
３  カセット  
４  カセット  
５  搬送系  
６  搬送ローラ  
７  レジストローラ  
８  定着装置  
９  排紙トレイ  
１０  排紙ローラ  
１１  感光体ドラム  
１２  帯電装置  
１３  露光装置  
１４  現像装置  
１５  転写装置  
１６  クリーニング装置  
１７  トナー供給装置  
１８  原稿載置台  
１９  スキャナー  
２０  光源  
２１  第１の反射ミラー  
２２  第２の反射ミラー  
２３  第３の反射ミラー  
２４  集光レンズ  
２５  受光素子  
２６  クリーナオーガ  
２７  クリーニングブレード  
２８  リカバリーブレード  
２９  筺体  
３０  防止爪  
３０ａ  防止爪先端  
３０ｂ  記録媒体受入部  
３０ｃ  防止爪位置出し部  
３０ｄ  防止爪回転軸  
３１  搬送ガイド  
３２  スイッチ  
【図１】
2009265370.tif 000003
【図２】
2009265370.tif 000004
【図３】
2009265370.tif 000005
【図４】
2009265370.tif 000006
【図５】
2009265370.tif 000007
【図６】
2009265370.tif 000008
【図７】
2009265370.tif 000009
【図８】
2009265370.tif 000010
【図９】
2009265370.tif 000011
【図１０】
2009265370.tif 000012
【図１１】
2009265370.tif 000013